(57)【特許請求の範囲】
【請求項１】
入力信号を適応的に等化して、等化信号を出力する適応的等化部と、
該適応的等化部のフィルタの係数を更新する係数更新部と、
該係数更新部と該適応的等化部との間に接続され、オンの時には、該係数更新部を、該適応的等化部の該係数の更新を可能とし、オフの時には、該係数更新部を、該適応的等化部の該係数の更新を不可能とするスイッチ部と、
該入力信号のダウンサンプル位相あるいは、該等化信号のダウンサンプル位相のタイミングエラーが正・負の閾値範囲内にある場合には、該スイッチ部をオフし、ない場合には、該スイッチ部をオンする監視装置と、
を備える適応的等化器。
【請求項２】
前記監視装置は、
前記入力信号の前記ダウンサンプリング位相あるいは、前記等化信号の前記ダウンサンプリング位相を検出する位相検出部と、
前記位相検出部によって検出された前記ダウンサンプリング位相のタイミングエラーが正・負の閾値範囲内にあるか否かを判定する判定部と、
該タイミングエラーが該閾値範囲内にない場合には、前記スイッチ部をオンし、ある場合には、オフするように制御する制御部と、
からなることを特徴とする請求項１に記載の適応的等化器。
【請求項３】
前記位相検出部は、前記入力信号の前記ダウンサンプリング位相あるいは、前記等化信号の前記ダウンサンプリング位相を、Ｎを１以上の正の整数として、Ｎサンプルの間隔で、計算し、前記判定部は、前記入力信号のダウンサンプル位相あるいは、該等化信号のダウンサンプル位相が閾値範囲内にあるか否かを判定することを特徴とする請求項２に記載の適応的等化器。
【請求項４】
前記位相検出部は、現在のサンプルの前記入力信号あるいは、現在のサンプルの前記等化信号に対して、現在のサンプルの、該入力信号の前記ダウンサンプリング位相あるいは、該等化信号の該ダウンサンプリング位相及び、現在のサンプルから半シンボル周期だけ隔てられた、前のサンプルと、次のサンプルの、該入力信号の該ダウンサンプリング位相あるいは、該等化信号の該ダウンサンプリング位相を計算し、前記判定部は、現在のサンプルの、該入力信号あるいは、該等化信号の該ダウンサンプリング位相と、現在のサンプルから半シンボル周期隔てられた前のサンプルと次のサンプルの、該入力信号あるいは、該等化信号の該ダウンサンプリング位相とに従って、現在のサンプルの、該入力信号あるいは、該等化信号の該ダウンサンプリング位相が所定閾値範囲内にあるか否かを判定することを特徴とする請求項２に記載の適応的等化器。
【請求項５】
所定の正の閾値thresに対して、前記判定部が、以下の条件が同時に満たされるか否かを判定し、
e(k−)<-thres
e(k)>thres、及び
e(k+)<-thres
e(k−)は、現在のサンプルから半シンボル周期分隔てられた前のサンプルの、入力信号のダウンサンプリング位相あるいは、等化信号のダウンサンプリング位相を示し、e(k)は、現在のサンプルの、入力信号のダウンサンプリング位相あるいは、等化信号のダウンサンプリング位相を示し、e(k+)は、現在のサンプルから半シンボル周期分隔てられた次のサンプルの、入力信号のダウンサンプリング位相あるいは、等化信号のダウンサンプリング位相を示すとして、
もし、上記条件が同時に満たされるならば、該判定部は、現在のサンプルの、入力信号のダウンサンプリング位相あるいは、等化信号のダウンサンプリング位相が閾値範囲内にあると判定することを特徴とする請求項４に記載の適応的等化器。
【請求項６】
所定の正の閾値thresに対して、前記判定部は、以下の条件が同時に満たされるか否かを判定し、
e(k−)>thres
e(k)<-thres、及び
e(k+)>thres
e(k−)は、現在のサンプルから半シンボル周期分隔てられた前のサンプルの、入力信号のダウンサンプリング位相あるいは、等化信号のダウンサンプリング位相を示し、e(k)は、現在のサンプルの、入力信号のダウンサンプリング位相あるいは、等化信号のダウンサンプリング位相を示し、e(k+)は、現在のサンプルから半シンボル周期分隔てられた次のサンプルの、入力信号のダウンサンプリング位相あるいは、等化信号のダウンサンプリング位相を示すとして、
もし、上記条件が同時に満たされている場合には、該判定部は、現在のサンプルの、入力信号のダウンサンプリング位相あるいは、等化信号のダウンサンプリング位相が、閾値範囲内にあると判定することを特徴とする請求項４に記載の適応的等化器。
【請求項７】
前記入力信号の前記段サンプリング位相あるいは、前記等化信号の前記ダウンサンプリング位相は、該入力信号あるいは、該等化信号のタイミングエラーあるいはパワーによって示されることを特徴とする請求項２に記載の適応的等化器。
【請求項８】
各入力信号を適応的に等化し、等化信号を出力する１以上の他の適応的等化部と、
該１以上の他の適応的等化部に１対１で対応する、対応する該他の適応的等化部のフィルタの係数を更新する１以上の他の係数更新部と、
それぞれ、該他の係数更新部と、該他の係数更新部に対応する該他の適応的等化部との間に接続された、オンの時には、該他の係数更新部を該適応的等化部のフィルタの係数を更新可能とし、オフの時には、該他の係数更新部を、該適応的等化器のフィルタの係数の更新を不可能とする１以上の他のスイッチ部と、
更に、該適応的等化部の入力信号のダウンサンプリング位相あるいは、該適応的等化部の等化信号のダウンサンプリング位相のタイミングエラーが所定の条件を満たす場合に、該適応的等化部とは別に、該他の適応的等化部のフィルタの係数の更新し、満たさない場合には、更新しないように制御する監視装置と、
を更に備えることを特徴とする請求項１に記載の適応的等化器。
【請求項９】
入力信号を適応的に等化して、等化信号を出力する適応的等化部と、該適応的等化部のフィルタの係数を更新する係数更新部とを含む適応的等化器に適用される適応的等化方法であって、
入力信号のダウンサンプリング位相あるいは、等化信号のダウンサンプリング位相を検出し、
検出された位相のタイミングエラーが正・負の閾値範囲内にあるか否かを判定し、
該タイミングエラーが正・負の閾値範囲内にある場合には、適応的等化部のフィルタの係数の更新を行わず、ない場合には、更新を行うように制御する、
ことを特徴とする適応的等化方法。
【請求項１０】
各入力信号を適応的に等化して、等化信号を出力する複数の適応的等化部と、該複数の適応的等化部に対応し、対応する該適応的等化部のフィルタの係数を更新する複数の係数更新部とを含む適応的等化器に適用される適応的等化方法であって、
１つの該適応的等化部の入力信号のダウンサンプリング位相あるいは、等化信号のダウンサンプリング位相を検出し、
検出された位相のタイミングエラーが正・負の閾値範囲内にあるか否かを判定し、
該タイミングエラーが正・負の閾値範囲内にある場合には適応的等化部のフィルタの係数の更新を行わず、該タイミングエラーが正・負の閾値範囲内にない場合には更新を行うように、該適応的等化部以外の該複数の適応的等化部のフィルタの係数の更新を制御する、
ことを特徴とする適応的等化方法。
【発明の詳細な説明】
【技術分野】
【０００１】
本発明は、通信に関する。本発明は、非同期クロックの下の適応的等化器に関する。
【背景技術】
【０００２】
適応的等化器は、時間領域のシンボル間のクロストークを除去し、正しい判定を実現する目的を達成することができるように、受信信号のスペクトルの収差をリアルタイムで補正するために、未知の環境下における時間的に変化する入力信号を効果的にトラッキングすることができる。図１は、従来の適応的等化器を示すブロック構成図である。図１に示されるように、アナログ入力信号１０１は、後段の等化処理のための量子化デジタル信号１０４を得るために、クロック信号１０２によって制御されるアナログ−デジタル変換器１０３を通過する。係数更新部１０７は、適応的等化部１０５の入力デジタル信号１０４と出力信号１０６にしたがって、更新された等化係数を得、システム内の変化のリアルタイムなトラッキングを可能とするために、適応的等化部１０５にこの係数を入力する。通常、クロック信号１０２の周波数は、信号符号レートの整数倍であること、すなわち、同期クロックが使われることが要求される。しかし、符号間クロストーク、色分散、偏波モード分散などの通信システムにおける重大なシステム劣化により、クロック情報を抽出するには大きな困難が存在する。
【発明の概要】
【発明が解決しようとする課題】
【０００３】
本発明は、従来技術に存在する上記問題を考慮して提案される。非同期クロックの下に、適応的等化処理を達成するための方法が提供される。
【課題を解決するための手段】
【０００４】
上記目的を達成するために、本出願は、以下の態様を提供する。
【０００５】
態様１：適応的等化器は、等化された信号を出力するために、入力信号を適応的に等化する適応的等化部と、適応的等化部のフィルタの係数を更新する係数更新部と、係数更新部と適応的等化部の間に接続された、オンの時には、係数更新部が、適応的等化部の係数を更新可能であり、オフの時には、係数更新部が、適応的等化部の係数を更新不可能なようにするスイッチ部と、入力信号のダウンサンプリング位相あるいは、等化信号のダウンサンプリング位相に従って、スイッチ部のオン、オフを制御する監視装置とを含む。
【０００６】
態様２：態様１に従った適応的等化器は、監視装置が、入力信号のダウンサンプリング位相あるいは、等化信号のダウンサンプリング位相を検出する位相検出部と、位相検出部が検出した位相が、所定の範囲内にあるか否かを判定する判定部と、判定部の判定結果にしたがって、スイッチ部のオン、オフを制御する制御部を含むことを特徴とする。
【０００７】
態様３：態様２に従った適応的等化器は、位相検出部が、入力信号のダウンサンプリング位相あるいは、等化信号のダウンサンプリング位相を、Ｎサンプルの間隔で計算し、判定部が、所定範囲内に位相が入っているかを判定することを特徴とする。ここで、Ｎは、１以上の正の整数である。
【０００８】
態様４：態様２に従った適応的等化器は、位相判定部が、現在のサンプルの入力信号あるいは、現在のサンプルの等化信号に対して、現在のサンプルの入力信号のダウンサンプリング位相あるいは、等化信号のダウンサンプリング位相のほかに、現在のサンプルから半シンボル周期分隔てられた、前のサンプルと次のサンプルの入力信号のダウンサンプリング位相あるいは、等化信号のダウンサンプリング位相も計算し、判定部が、現在のサンプルの入力信号あるいは等化信号のダウンサンプリング位相が、現在のサンプルの入力信号あるいは等化信号のダウンサンプリング位相と、現在のサンプルから半シンボル周期分隔てられた前のサンプルと次のサンプルの入力信号あるいは等化信号のダウンサンプリング位相とにしたがって、所定範囲内にあるか否かを判定することを特徴とする。
【０００９】
態様５：態様４に従った適応的等化器は、所定の正の閾値thresに対して、判定部が、以下の条件が同時に満たされるか否かを判定する。
e(k-)<-thres
e(k)>thres、及び
e(k+)<-thres
もし、上記条件が同時に満たされるならば、判定部は、現在のサンプルの、入力信号のダウンサンプリング位相あるいは、等化信号のダウンサンプリング位相が所定範囲内にあると判定することを特徴とする。ここで、e(k-)は、現在のサンプルから半シンボル周期分隔てられた前のサンプルの、入力信号のダウンサンプリング位相あるいは、等化信号のダウンサンプリング位相を示し、e(k)は、現在のサンプルの、入力信号のダウンサンプリング位相あるいは、等化信号のダウンサンプリング位相を示し、e(k+)は、現在のサンプルから半シンボル周期分隔てられた次のサンプルの、入力信号のダウンサンプリング位相あるいは、等化信号のダウンサンプリング位相を示す。
【００１０】
態様６：態様４に従った適応的等化器は、所定の正の閾値thresに対して、判定部は、以下の条件が同時に満たされるか否かを判定する。
e(k-)>thres
e(k)<-thres、及び
e(k+)>thres
もし、上記条件が同時に満たされている場合には、判定部は、現在のサンプルの、入力信号のダウンサンプリング位相あるいは、等化信号のダウンサンプリング位相が、所定範囲内にあると判定することを特徴とする。ここで、e(k-)は、現在のサンプルから半シンボル周期分隔てられた前のサンプルの、入力信号のダウンサンプリング位相あるいは、等化信号のダウンサンプリング位相を示し、e(k)は、現在のサンプルの、入力信号のダウンサンプリング位相あるいは、等化信号のダウンサンプリング位相を示し、e(k+)は、現在のサンプルから半シンボル周期分隔てられた次のサンプルの、入力信号のダウンサンプリング位相あるいは、等化信号のダウンサンプリング位相を示す。
【００１１】
態様７：態様２に従った適応的等化器は、入力信号のダウンサンプリング位相あるいは、等化信号のダウンサンプリング位相が、入力信号あるいは、等化信号のタイミングエラーあるいはパワーによって示されることを特徴とする。
【００１２】
態様８：態様１に従った適応的等化器は、各入力信号を適応的に等化し、等化信号を出力する１以上の他の適応的等化部と、１以上の他の適応的等化部に１対１で対応する、対応する他の適応的等化部のフィルタの係数を更新する１以上の他の係数更新部と、それぞれ、他の係数更新部と、他の係数更新部に対応する他の適応的等化部との間に接続された、オンの時には、他の係数更新部を適応的等化部のフィルタの係数を更新可能とし、オフの時には、他の係数更新部を、適応的等化器のフィルタの係数の更新を不可能とする１以上の他のスイッチ部と、更に、適応的等化部の入力信号のダウンサンプリング位相あるいは、適応的等化部の等化信号のダウンサンプリング位相にしたがって、適応的等化部とは別に、他の適応的等化部のフィルタの係数の更新を制御する監視装置を更に含むことを特徴とする。
【００１３】
態様９：適応的等化器は、各入力信号を適応的に等化して等化信号を出力する複数の適応的等化部と、複数の適応的等化部に対応する、対応する適応的等化部のフィルタの係数を更新する複数の係数更新部と、係数更新部と、係数更新部が対応する適応的等化部の間にそれぞれ接続され、オンの時には、係数更新部を適応的等化部の係数の更新可能とし、オフの時には、係数更新部を適応的等化部の係数の更新付加とする複数のスイッチ部と、１つの適応的等化部の入力信号のダウンサンプリング位相あるいは、等化信号のダウンサンプリング位相に従って、１以上のスイッチ部のオン、オフを制御する監視装置とを含む。
【００１４】
態様１０：態様９に従った適応的等化器は、１以上のスイッチ部が、現在の適応的等化部とは異なる適応的等化部に接続されることを特徴とする。
【００１５】
態様１１：入力信号を適応的に等化して、等化信号を出力する適応的等化部と、適応的等化部のフィルタの係数を更新する係数更新部とを含む適応的等化器に適用される適応的等化方法は、入力信号のダウンサンプリング位相あるいは、等化信号のダウンサンプリング位相を検出し、検出された位相が所定範囲内にあるか否かを判定し、判定結果に基づいて、適応的等化部のフィルタの係数の更新を制御する。
【００１６】
態様１２：各入力信号を適応的に等化して、等化信号を出力する複数の適応的等化部と、複数の適応的等化部に対応し、対応する適応的等化部のフィルタの係数を更新する複数の係数更新部とを含む適応的等化器に適用される適応的等化方法は、１つの適応的等化部の入力信号のダウンサンプリング位相あるいは、等化信号のダウンサンプリング位相を検出し、検出された位相にしたがって、適応的等化部以外の複数の適応的等化部のフィルタの係数の更新を制御する。
【００１７】
態様１３：コンピュータあるいは、論理素子によって実行される、あるいは、インタープリタで解釈されあるいは、コンパイルされた後実行されるとき、コンピュータあるいは論理素子を、態様１〜１０のいずれか１つにしたがった適応的等化器の機能を実行可能とするコンピュータプログラム。
【００１８】
態様１４：コンピュータあるいは、論理素子によって実行される、あるいは、インタープリタで解釈されあるいは、コンパイルされた後実行されるとき、コンピュータあるいは論理素子を、態様１１〜１２のいずれか１つにしたがった適応的等化器の機能を実行可能とするコンピュータプログラム。
【００１９】
態様１５：態様１３または１４のコンピュータプログラムを格納する記録媒体。
【発明の効果】
【００２０】
本発明の効果は、適応的に等化された出力信号を用いて、クロックを抽出するほうがより効果的であるところ、クロックリカバリ回路を用いないで、適応的等化処理を実現することである。
【図面の簡単な説明】
【００２１】
図面は、本発明の好適な実施形態を示し、明細書の一部をなし、本発明の原理をより明確にするために、平易な説明と共に用いられる。
【図１】従来の適応的等化器を示すブロック構成図である。
【図２】本発明の一実施形態に従った適応的等化器を模式的に示すブロック構成図である。
【図３】本発明の他の実施形態に従った、適応的等化器を模式的に示すブロック構成図である。
【図４】本発明の一実施形態に従った監視装置を模式的に示すブロック図である。
【図５】本発明の実施形態に従った、２次元フィードフォワード制御偏波多重コヒーレント受信器に使用した場合の、適応的等化器を示すブロック構成図である。
【図６】監視装置によって信号の２つのブランチを制御するモードを示す図（その１）である。
【図７】監視装置によって信号の２つのブランチを制御するモードを示す図（その２）である。
【図８】監視装置によって信号の２つのブランチを制御するモードを示す図（その３）である。
【図９】監視装置によって信号の２つのブランチを制御するモードを示す図（その４）である。
【図１０】監視装置によって信号の２つのブランチを制御するモードを示す図（その５）である。
【図１１】本発明の一実施形態に従った適応的等化方法を示すフローチャートである。
【発明を実施するための形態】
【００２２】
以下に、本発明を図面を参照して、詳細に記載する。
【００２３】
図２は、本発明の一実施形態に従った適応的等化器を模式的に示すブロック構成図である。図３は、本発明の他の実施形態に従った適応的等化器を模式的に示すブロック構成図である。図１に示される従来技術に比較して、監視装置が、スイッチ部を介して、係数更新部１０７から適応的等化部１０５への出力を制御するために、両実施形態において使用されている。２つの実施形態は、監視装置２０２の入力が、図２のフィードフォワードモードにおいては、適応的等化部１０５への入力デジタル信号１０４（特に、適応的に等化されていない信号）であり、一方、図３のフィードバックモードにおいては、監視装置３０２の入力が、適応的等化部１０５から出力されるデジタル信号１０６（特に、適応的に等化されていない信号）である点で相互に異なっている。
【００２４】
図２、３より分かるように、本発明は、従来技術とは、監視装置を加えている点で主に異なっている。監視装置２０２及び３０２を、更に以下において詳述する。
【００２５】
図４は、本発明の一実施形態に従った監視装置を模式的に示すブロック図である。図４に示されるように、本発明の一実施形態においては、監視装置２０２（あるいは３０２）は、位相検出部４１、判定部４２、及び、制御部４３を含み、以下に、監視装置２０２を例にとり詳述する。
【００２６】
監視装置２０２の入力は、適応的等化部１０５への入力信号１０４である。クロック信号１０２が、アナログ入力信号１０１と非同期の場合、アナログ−デジタル変換器１０３のサンプリングタイミングは、シンボル長範囲内で変化する。監視装置２０２の位相検出部４１は、入力信号のサンプリングタイミング（特に、ダウンサンプリング位相）を完全に検出する。次に、判定部４２は、位相検出部４１で検出された位相が、所定範囲内か否かを判定する。制御部４３は、判定部４２の判定結果にしたがって、係数更新を行うか否かを制御する、すなわち、係数更新部１０７の出力を適応的等化部１０５に入力するか否かを制御する。特に、判定部４２が、位相判定部４１によって検出される位相が所定範囲内か判定し、係数更新部１０７が、適応的等化部１０５を更新する。つまり、制御部４３は、係数更新部１０７の出力を適応的等化部１０５に入力するために、スイッチ２０１をオンにする制御を行う。しかし、判定部４２が、位相判定部４１によって検出された位相が、所定範囲内にないと判定した場合には、係数更新部１０７は、適応的等化部１０５を更新しない。つまり、制御部４３は、スイッチ２０１をオフにする制御をし、係数更新部１０７の出力が、適応的等化部１０５に入力されないようにする。本発明の概念は、監視装置が、同期クロックを等化的に実現するために、適応的等化部（適応的フィルタ）の係数更新のために用いる実質的に同期的なサンプリング点を選択することである。
【００２７】
位相検出部４１は、ダウンサンプリング位相を判定するために、クロックリカバリ回路のタイミングエラー検出器を使うことが出来る。例えば、ダブルオーバサンプリングデータを処理するために、ガードナーアルゴリズムを用いる状況の場合、タイミングエラーe(k)は、以下の式で決定することが出来る。
【数１】
0005428554.tif 000002
ここで、
0005428554.tif 000003
は、それぞれ、ｋ−１番目とｋ番目のシンボル周期内のダウンサンプリング位相であり、Ｔは、シンボル周期であり、
【数２】
0005428554.tif 000004
は、３つの連続するサンプリング点を示す。
【００２８】
この意味では、タイミングエラーは、ダウンサンプリング位相を示すのに使われるダウンサンプリング位相指示信号の一種である。他の測定量も、本発明においては、ダウンサンプリング位相を示すのに用いることが出来る。ダウンサンプリング位相を示す信号は、ダウンサンプリング位相指示信号と呼ばれ、以下においては、e(k)と表す。
【００２９】
通常のクロックリカバリ回路に使用されるタイミングエラー信号は、本発明のタイミングエラー信号として使用可能である。これらの通常のクロックリカバリ回路は、例えば、アーリーレイト検出器（early-late detector:ＥＬＤ）、ゼロクロッシング検出器（zero-crossing detector:ＺＣＤ）、ミュラー−ミュラー検出器（Mueller and Muller detector:ＭＭＤ）、ガードナー検出器（Gardner detector:ＧＡＤ）、エルダー−メーヤー評価器（Oerder and Meyr estimator:Ｏ＆Ｍ）などを含む[Umberto Mengali and Aldo N.D’Andrea, Synchronization Techniques for Digital Receivers]。
【００３０】
なお、他の測定量も、これらの測定量が信号の入力ダウンサンプリング位相を示す限りにおいて、ダウンサンプリング位相検出を行うのに用いることが出来る。例えば、サンプリング点の入力パワーを使うことが出来る。
【００３１】
例えば、ダウンサンプリング位相として、タイミングエラーを計算する状況について、位相検出部４１、判定部４２、制御部４３の動作を以下に説明する。
【００３２】
入力サンプリング信号のサンプリングレートを、シンボルレートのＮ倍に等しいとする（Ｎは、１以上の整数）。
【００３３】
本発明の一実施形態では、位相検出部４１は、Ｎサンプルの間隔で、タイミングエラーe(k)を計算し、判定部４２は、e(k)が、所定閾値より大きいか否かを判定し、制御部４３は、判定部４２の判定結果にしたがって、スイッチ２０１のオン、オフを制御する。例えば、タイミングエラーe(k)が、所定の正の閾値より大きい場合、スイッチ２０１は、オンされ、係数は更新される。他方の場合は、スイッチ２０１は、オフされ、係数の更新は行われない。あるいは、タイミングエラーe(k)が、所定の負の閾値より小さい場合には、スイッチ２０１は、オンされ、係数は更新される。他方の場合は、スイッチ２０１は、オフされ、係数の更新は行われない。
【００３４】
本発明の他の実施形態では、ｋ番目のサンプルに対し（ｋは、１以上の整数）、
【数３】
0005428554.tif 000005
と定義される。ここで、
0005428554.tif 000006
である。位相検出部４１は、e(k-)、e(k)、e(k+)を計算する。判定部４２は、所定の正の閾値thresに従って、以下の条件が同時に満たされるか判定する。
e(k-)<-thres
e(k)>thres、及び
e(k+)<-thres
そして、制御部４３は、判定部４２の判定結果にしたがって、スイッチ２０１のオン、オフを制御する。すなわち、条件が満たされる場合には、スイッチ２０１をオンし、条件が満たされない場合には、スイッチ２０１をオフする。 
【００３５】
あるいは、判定部４２は、以下の条件が同時に満たされるか否かを判定することが出来る。
e(k-)>thres
e(k)<-thres、及び
e(k+)>thres
そして、制御部４３は、判定部４２の判定結果に基づいて、スイッチ２０１のオン、オフを制御する。すなわち、条件が満たされるときには、スイッチ２０１をオンし、条件が満たされない場合には、スイッチ２０１をオフする。
【００３６】
更に、ｋ-及びｋ＋も
【数４】
0005428554.tif 000007
のように定義される。
【００３７】
また、以上の２つの判定方法のほかに、入力信号のダウンサンプリング位相が所定範囲内に入っていることを判定することが出来る他のモードも、本発明には使用することが出来る。
【００３８】
監視装置３０２の動作原理は、監視装置２０２の動作原理と同じであり、２つの装置は、３０２の入力が、適応的等化出力信号１０６である点で異なる。
【００３９】
上記制御は、多次元信号処理にも適用可能である。図５は、本発明の一実施形態に従った、２次元フィードフォワード制御偏波多重コヒーレント受信器を示すブロック構成図である。
【００４０】
図５に示されるように、アナログ入力信号１０１ａは、クロック信号１０２によって制御されるアナログ−デジタル変換器１０３ａを通り、後段の等化処理のための量子化デジタル信号１０４ａ（これは、例えば、偏波多重コヒーレント受信器のＨブランチ信号である）になる。係数更新部１０７ａは、入力デジタル信号１０４ａと等化器の出力信号１０６ａにしたがって、更新等化器係数を得、システムの変化をリアルタイムでトラッキングできるように、適応的等化部１０５ａにこの係数を入力する。監視装置２０２は、係数更新部１０７ａと適応的等化部１０５ａの間に接続されたスイッチ２０１ａを制御し、適応的等化部１０５ａの係数更新を制御する。
【００４１】
他方、アナログ入力信号１０１ｂは、クロック信号１０２によって制御されるアナログ−デジタル変換器１０３ｂを通り、後段の等化処理のための量子化デジタル信号１０４ｂ（例えば、これは偏波多重コヒーレント受信器のＶブランチ信号である）となる。係数更新部１０７ｂは、入力デジタル信号１０４ｂと等化器の出力信号１０６ｂにしたがって、更新された等化器係数を得、システムの変化のトラッキングをリアルタイムで可能とするために適応的等化部１０５ｂに、この係数を入力する。監視装置２０２は、係数更新部１０７ｂと適応的等化部１０５ｂの間に接続されるスイッチ２０１ｂを制御し、適応的等化部１０５ｂの係数更新を制御する。
【００４２】
監視装置２０２は、スイッチ２０１ａ及び２０１ｂの制御のため、図６〜図１０に示されるような制御モードのいずれかも用いることが出来る。図６〜図１０は、それぞれ、監視装置による信号の２つのブランチの制御のモードを示す。
【００４３】
図６の制御モードでは、監視装置は、入力信号１０４ａのダウンサンプリング位相にしたがって、出力信号２０３ａを制御し、入力信号１０４ｂのダウンサンプリング位相にしたがって、出力信号２０３ｂを制御する。
【００４４】
つまり、位相検出部４１は、入力信号１０４ａのダウンサンプリング位相を検出する。次に、判定部４２は、位相検出部４１によって検出された入力信号１０４ａのダウンサンプリング位相が、所定範囲内にあるか否かを判定する。制御部４３は、判定部４２の判定結果にしたがって、適応的等化部１０５ａの係数更新を実行するか否かを制御する。すなわち、係数更新部１０７ａの出力を適応的等化部１０５ａに入力するか否かを制御する。
【００４５】
一方、位相検出部４１は、入力信号１０４ｂのダウンサンプリング位相を検出する。次に、判定部４２は、位相検出部４１によって検出された入力信号１０４ｂのダウンサンプリング位相が所定範囲内にあるか否かを判定する。制御部４３は、判定部４２の判定結果にしたがって、適応的等化部１０５ｂの係数更新を行うか否かを制御する。すなわち、係数更新部１０７ｂの出力を適応的等化部１０５ｂに入力するか否かを制御する。
【００４６】
図７に示される制御モードでは、監視装置は、入力信号１０４ａのダウンサンプリング位相にしたがって、出力信号２０３ｂを制御し、入力信号１０４ｂのダウンサンプリング位相にしたがって、出力信号２０３ａを制御する。
【００４７】
つまり、位相検出部４１は、入力信号１０４ａのダウンサンプリング位相を検出する。次に、判定部４２は、位相検出部４１によって検出された入力信号１０４ａのダウンサンプリング位相が、所定範囲内にあるか否かを判定する。制御部４３は、判定部４２の判定結果にしたがって、適応的等化部１０５ｂの係数更新を行うか否かを制御する。すなわち、係数更新部１０７ｂの出力を適応的等化部１０５ｂに入力するか否かを制御する。
【００４８】
他方、位相検出部４１は、入力信号１０４ｂのダウンサンプリング位相を検出する。次に、判定部４２は位相検出部４１が検出した入力信号１０４ｂのダウンサンプリング位相が、所定範囲内にあるか否かを判定する。制御部４３は、判定部４２の判定結果にしたがって、適応的等化部１０５ａの係数更新を行うか否かを制御する。すなわち、係数更新部１０７ａの出力を適応的等化部１０５ａに入力するか否かを制御する。
【００４９】
図８に示される制御モードでは、監視装置は、入力信号１０４ａのダウンサンプリング位相にしたがって、出力信号２０３ａと出力信号２０３ｂの両方を制御する。
【００５０】
つまり、位相検出部４１は、入力信号１０４ａのダウンサンプリング位相を検出する。次に、判定部４２は、位相検出部４１によって検出された入力信号１０４ａのダウンサンプリング位相が所定範囲内にあるか否かを判定する。制御部４３は、判定部４２の判定結果にしたがって、適応的等化部１０５ａと適応的等化部１０５ｂの両方の係数更新を行うか否かを制御する。
【００５１】
同様の原理で、図９の制御モードでは、監視装置は、入力信号１０４ｂのダウンサンプリング位相にしたがって、出力信号２０３ａと出力信号２０３ｂの両方を制御する。
【００５２】
更に、ある場合では、２次元入力信号１０４ａ及び１０４ｂから、ダウンサンプリング位相指示が得られる。例えば、全入力パワーが所定範囲内に入っているか否かにしたがって、まとめて、出力２０３ａと２０３ｂを制御するために、（信号の２つのブランチの絶対値の合計を計算することによって）全入力パワーが取得される。
【００５３】
例えば、入力信号１０４ａがｘａ（ｋ）であり、入力信号１０４ｂがｘｂ（ｋ）である場合、ダウンサンプリング位相指示信号は、e(k)=｜ｘａ（ｋ）＋ｘｂ（ｋ）｜２である。
【００５４】
位相指示信号と所定の閾値を比較することにより、これが所定範囲内にあるか否かが判定でき、したがって、適切な制御を行うことが出来る。
【００５５】
出力信号の２つのブランチを生成する上記状況の記載は、本質的に、単なる例であり、本発明は、出力信号の３以上のブランチを生成する場合を目指すことも可能である。そのような場合には、各適応的等化部のフィルタ係数を更新は、各適応的等化部の入力信号の位相を検出し、これらの位相が、所定範囲内に入るかを判定することによって、制御可能である。更に、そのような場合には、１つの適応的等化部の入力信号の位相が、所定範囲内にあるか否かを判定することにより、２以上の適応的等化部のフィルタ係数の更新を制御することも可能である。
【００５６】
図１１は本発明の一実施形態に従った、適応的等化方法を模式的に示すフローチャートである。図１１に示されるように、位相検出は、最初、ステップ１１０１において行われ、すなわち、入力信号１０４あるいは、適応的等化信号１０６のダウンサンプリング位相が検出される。これは、例えば、これらの信号の、タイミングエラーあるいは、パワーを検出することによって行うことが出来る。次に、ステップ１１０２において、検出された位相が所定範囲内であるか否か判定される。これは、例えば、所定閾値と比較することによって行うことが出来る。検出された位相が、所定範囲内であると判定された場合には（ステップ１１０２のＹｅｓ）、係数更新部１０７と適応的等化部１０５の間に接続されたスイッチ２０１が、ステップ１１０３で、オンされ、ステップ１１０５で、適応的等化部１０５のフィルタ係数を更新する。他方、検出された位相が、所定範囲内でないと判定された場合には（ステップ１１０２のＮｏ）、係数更新部１０７と適応的等化部１０５の間に接続されたスイッチ２０１が、ステップ１１０４で、オフされ、適応的等化部１０５のフィルタ係数は、更新されない。
【００５７】
複数の適応的等化部１０５と係数更新部１０７がある場合には、これらのフィルタ係数の更新は、上記図６〜図１０に示されたモードで行うことが出来る。この適応的等化部１０５の入力信号あるいは、出力信号のダウンサンプリング位相に従って、１つの適応的等化部１０５のフィルタ係数の更新を制御することが可能なばかりでなく、他の適応的等化部１０５の入力信号あるいは、出力信号のダウンサンプリング位相に従って、１以上の適応的等化部１０５のフィルタ係数の更新を制御することが可能である。
【００５８】
ステップ１１０１と１１０２は、本発明の検出ステップに対応し、ステップ１１０４と１１０５は、本発明の制御ステップに対応する。
【００５９】
本発明は、ハードウェアのみで実現可能であるが、ソフトウェアのみでも実現が可能であり、ハードウェアとソフトウェアの組み合わせでも実現が可能である。ソフトウェアで本発明を実現し、コンピュータ等で実行する場合には、ソフトウェアを使って、コンピュータ等に、前述の方法あるいは装置を実装することができる。本発明は、更に、ソフトウェアを格納する記録媒体に関する。記録媒体は、例えば、ＣＤ，ＤＶＤ，フロッピーディスク、ＭＯ，フラッシュメモリ、磁気テープなどである。
【００６０】
本発明を例示するために、好適実施形態が上記のように選択されたが、上記開示の内容によれば、当業者が、特許請求の範囲に規定されるような発明の範囲を離れることなく、さまざまな変形や改造を行うことは容易なことである。実施形態の記載は、特許請求の範囲やその類推に規定される発明を限定するというよりは、単なる例示である。
【図１】
0005428554.tif 000008
【図２】
0005428554.tif 000009
【図３】
0005428554.tif 000010
【図４】
0005428554.tif 000011
【図５】
0005428554.tif 000012
【図６】
0005428554.tif 000013
【図７】
0005428554.tif 000014
【図８】
0005428554.tif 000015
【図９】
0005428554.tif 000016
【図１０】
0005428554.tif 000017
【図１１】
0005428554.tif 000018